(57)【要約】【課題】骨盤を安定させ、過剰な動きを制限し、正しい動きを誘導する骨盤緊締帯、骨盤サポート衣類及び骨盤緊締帯装着方法の提供。【解決手段】    骨盤緊締帯１は、全体として連続したリング状に構成される。骨盤緊締帯１は、前面下部に位置する恥骨結合緊締部２と、恥骨結合緊締部から左右斜め上方に延び、左右の上前腸骨棘を通る左右の上前腸骨棘緊締部３と、左右の上前腸骨棘緊締部の各々が後方に回り込む部分に位置し、左右の腸骨稜を通る左右の腸骨稜緊締部４と、左右の腸骨稜緊締部から下方に延び、左右の上後腸骨棘を通る左右の上後腸骨棘緊締部５と、左右の上後腸骨棘緊締部から下方に延び、左右の坐骨結節を通って前面に出て恥骨結合緊締部に接続する左右の坐骨結節緊締部６とを有し、恥骨結合緊締部２において第一の交差部を有する。【選択図】図５
2018130372.tif 000002
【特許請求の範囲】
【請求項１】
全体として連続したリング状に構成される骨盤緊締帯であって、
前面下部に位置する恥骨結合緊締部と、
前記恥骨結合緊締部から左右斜め上方に延び、左右の上前腸骨棘を通る左右の上前腸骨棘緊締部と、
前記左右の上前腸骨棘緊締部の各々が後方に回り込む部分に位置し、左右の腸骨稜を通る左右の腸骨稜緊締部と、
前記左右の腸骨稜緊締部から下方に延び、左右の上後腸骨棘を通る左右の上後腸骨棘緊締部と、
前記左右の上後腸骨棘緊締部から下方に延び、左右の坐骨結節を通って前面に出て前記恥骨結合緊締部に連続する左右の坐骨結節緊締部と、を有し、
前記恥骨結合緊締部において第一の交差部を有することを特徴とする骨盤緊締帯。
【請求項２】
後面において、前記左右の上後腸骨棘緊締部と前記左右の坐骨結節緊締部との間は２本が交差せずに延び、左側の前記上後腸骨棘緊締部と左側の前記坐骨結節緊締部とが連続し、右側の前記上後腸骨棘緊締部と右側の前記坐骨結節緊締部とが連続する構成となっており、
全体として、１本のリングを８の字状にした構成であることを特徴とする請求項１記載の骨盤緊締帯。
【請求項３】
前記骨盤緊締帯は折り畳まれた際に、
前面は、前記恥骨結合緊締部を交点とし上部が大きいＸ字状を有し、
前記左右の腸骨稜緊締部は、上部で後方に折れ曲がる部分であり、
後面は、前記左右の腸骨稜緊締部を左右の頂部とし、前記左右の坐骨結節緊締部を底部とするＶ字状を有することを特徴とする請求項２記載の骨盤緊締帯。
【請求項４】
全体として、第一リング及び第二リングの２本のリングで構成され、
後面において、前記左右の上後腸骨棘緊締部と前記左右の坐骨結節緊締部との間に第二の交差部を有し、前記第二の交差部は仙骨部に位置し、
前記第一リングは、前記恥骨結合締結部、左側の前記上前腸骨棘締結部、左側の前記上後腸骨棘締結部、右側の前記坐骨結節締結部、前記恥骨結合締結部の順番で連続しており、
前記第二リングは、前記恥骨結合締結部、右側の前記上前腸骨棘締結部・右側の前記上後腸骨棘締結部・左側の前記坐骨結節締結部・前記恥骨結合締結部の順番で連続していることを特徴とする請求項１記載の骨盤緊締帯。
【請求項５】
前面下部に位置する恥骨結合緊締部と、
前記恥骨結合緊締部から左右斜め上方に延び、左右の上前腸骨棘を通る左右の上前腸骨棘緊締部と、
前記左右の上前腸骨棘緊締部の各々が後方に回り込む部分に位置し、左右の腸骨稜を通る左右の腸骨稜緊締部と、
前記左右の腸骨稜緊締部から下方に延び、左右の上後腸骨棘を通る左右の上後腸骨棘緊締部と、
前記左右の上後腸骨棘緊締部から下方に延び、左右の坐骨結節を通って前面に出て前記恥骨結合緊締部に連続する左右の坐骨結節緊締部と、を有し、
前記恥骨結合緊締部において第一の交差部を有する骨盤緊締帯と、
前記骨盤緊締帯が織り込まれた生地と、
を備えることを特徴とする骨盤サポート衣類。
【請求項６】
人間の骨盤に対して緊締帯を装着する骨盤緊締帯装着方法であって、
全体としてリング状に構成される骨盤緊締帯を、前面下部に位置する恥骨結合に当てる工程と、
前記骨盤緊締帯を左右の上前腸骨棘に当てる工程と、
前記骨盤緊締帯を左右の腸骨稜に当てる工程と、
前記骨盤緊締帯を左右の上後腸骨棘に当てる工程と、
前記骨盤緊締帯を左右の坐骨結節に当てる工程と、を有し、
これにより、前記骨盤緊締帯が、
前面下部に位置する恥骨結合緊締部と、
前記恥骨結合緊締部から左右斜め上方に延び、左右の上前腸骨棘を通る左右の上前腸骨棘緊締部と、
前記左右の上前腸骨棘緊締部の各々が後方に回り込む部分に位置し、左右の腸骨稜を通る左右の腸骨稜緊締部と、
前記左右の腸骨稜緊締部から下方に延び、左右の上後腸骨棘を通る左右の上後腸骨棘緊締部と、
前記左右の上後腸骨棘緊締部から下方に延び、左右の坐骨結節を通って前面に出て前記恥骨結合緊締部に連続する左右の坐骨結節緊締部と、を有し、
前記恥骨結合緊締部において第一の交差部を有するように、前記骨盤緊締帯を装着することを特徴とする骨盤緊締帯装着方法。
【発明の詳細な説明】
【技術分野】
【０００１】
本発明は、骨盤を安定させ、過剰な動きを制限し、正しい動きを誘導する骨盤緊締帯、骨盤サポート衣類及び骨盤緊締帯装着方法に関する。
【背景技術】
【０００２】
出産前後の女性など腰痛に悩まされている人は多い。腰痛を和らげるため、単純な帯状のベルトを骨盤の周囲に巻くものが知られている。また、骨盤を矯正するための骨盤サポータ、歩行を補助する衣類等が提案されている（例えば、特許文献１，２参照。）。
【先行技術文献】
【特許文献】
【０００３】
【特許文献１】特開平６−７３９４号公報
【特許文献２】特開２０１４−１８１４２６号公報
【発明の概要】
【発明が解決しようとする課題】
【０００４】
しかし、特許文献１に開示された骨盤サポータは構造が比較的複雑であるため、製造時に不利となる可能性がある。また、特許文献２の股付き衣類においても、骨盤全体を安定的に支持するという点で改善の余地がある。
【０００５】
そこで本発明は、骨盤を安定させ、過剰な動きを制限し、正しい動きを誘導する骨盤緊締帯を提供することを目的とする。
【課題を解決するための手段】
【０００６】
上記目的を達成するために、本発明は、全体として連続したリング状に構成される骨盤緊締帯であって、前面下部に位置する恥骨結合緊締部と、前記恥骨結合緊締部から左右斜め上方に延び、左右の上前腸骨棘を通る左右の上前腸骨棘緊締部と、前記左右の上前腸骨棘緊締部の各々が後方に回り込む部分に位置し、左右の腸骨稜を通る左右の腸骨稜緊締部と、前記左右の腸骨稜緊締部から下方に延び、左右の上後腸骨棘を通る左右の上後腸骨棘緊締部と、前記左右の上後腸骨棘緊締部から下方に延び、左右の坐骨結節を通って前面に出て前記恥骨結合緊締部に連続する左右の坐骨結節緊締部と、を有し、前記恥骨結合緊締部において第一の交差部を有する骨盤緊締帯を提供している。
【０００７】
ここで、後面において、前記左右の上後腸骨棘緊締部と前記左右の坐骨結節緊締部との間は２本が交差せずに延び、左側の前記上後腸骨棘緊締部と左側の前記坐骨結節緊締部とが連続し、右側の前記上後腸骨棘緊締部と右側の前記坐骨結節緊締部とが連続する構成となっており、全体として、１本のリングを８の字状にした構成であるのが好ましい。
【０００８】
更に、前記骨盤緊締帯は折り畳まれた際に、前面は、前記恥骨結合緊締部を交点とし上部が大きいＸ字状を有し、前記左右の腸骨稜緊締部は、上部で後方に折れ曲がる部分であり、後面は、前記左右の腸骨稜緊締部を左右の頂部とし、前記左右の坐骨結節緊締部を底部とするＶ字状を有するのが好ましい。
【０００９】
また、全体として、第一リング及び第二リングの２本のリングで構成され、後面において、前記左右の上後腸骨棘緊締部と前記左右の坐骨結節緊締部との間に第二の交差部を有し、前記第二の交差部は仙骨部に位置し、前記第一リングは、前記恥骨結合締結部、左側の前記上前腸骨棘締結部、左側の前記上後腸骨棘締結部、右側の前記坐骨結節締結部、前記恥骨結合締結部の順番で連続しており、前記第二リングは、前記恥骨結合締結部、右側の前記上前腸骨棘締結部・右側の前記上後腸骨棘締結部・左側の前記坐骨結節締結部・前記恥骨結合締結部の順番で連続しているのが好ましい。
【００１０】
また、本発明は、前面下部に位置する恥骨結合緊締部と、前記恥骨結合緊締部から左右斜め上方に延び、左右の上前腸骨棘を通る左右の上前腸骨棘緊締部と、前記左右の上前腸骨棘緊締部の各々が後方に回り込む部分に位置し、左右の腸骨稜を通る左右の腸骨稜緊締部と、前記左右の腸骨稜緊締部から下方に延び、左右の上後腸骨棘を通る左右の上後腸骨棘緊締部と、前記左右の上後腸骨棘緊締部から下方に延び、左右の坐骨結節を通って前面に出て前記恥骨結合緊締部に連続する左右の坐骨結節緊締部と、を有し、前記恥骨結合緊締部において第一の交差部を有する骨盤緊締帯と、前記骨盤緊締帯が織り込まれた生地と、を備える骨盤サポート衣類を提供している。
【００１１】
更に、本発明は、人間の骨盤に対して緊締帯を装着する骨盤緊締帯装着方法であって、全体としてリング状に構成される骨盤緊締帯を、前面下部に位置する恥骨結合に当てる工程と、前記骨盤緊締帯を左右の上前腸骨棘に当てる工程と、前記骨盤緊締帯を左右の腸骨稜に当てる工程と、前記骨盤緊締帯を左右の上後腸骨棘に当てる工程と、前記骨盤緊締帯を左右の坐骨結節に当てる工程と、を有し、これにより、前記骨盤緊締帯が、前面下部に位置する恥骨結合緊締部と、前記恥骨結合緊締部から左右斜め上方に延び、左右の上前腸骨棘を通る左右の上前腸骨棘緊締部と、前記左右の上前腸骨棘緊締部の各々が後方に回り込む部分に位置し、左右の腸骨稜を通る左右の腸骨稜緊締部と、前記左右の腸骨稜緊締部から下方に延び、左右の上後腸骨棘を通る左右の上後腸骨棘緊締部と、前記左右の上後腸骨棘緊締部から下方に延び、左右の坐骨結節を通って前面に出て前記恥骨結合緊締部に連続する左右の坐骨結節緊締部と、を有し、前記恥骨結合緊締部において第一の交差部を有するように、前記骨盤緊締帯を装着する骨盤緊締帯装着方法を提供している。
【発明の効果】
【００１２】
本発明の骨盤緊締帯によれば、骨盤を安定させ、過剰な動きを制限し、正しい動きを誘導する骨盤緊締帯を提供することができる。
【図面の簡単な説明】
【００１３】
【図１】骨盤の前面を説明するための模式図。
【図２】骨盤の後面を説明するための模式図。
【図３】第１の実施形態による骨盤緊締帯を示す前面図。
【図４】第１の実施形態による骨盤緊締帯を示す後面図。
【図５】第１の実施形態による骨盤緊締帯を人体に装着した状態を示す前面図。
【図６】第１の実施形態による骨盤緊締帯を人体に装着した状態を示す後面図。
【図７】第１の実施形態による骨盤緊締帯を人体に装着した状態を示す上面図。
【図８】第１の実施形態による骨盤緊締帯を人体に装着した状態を示す右側面図。
【図９】第１の実施形態による骨盤緊締帯を有する骨盤サポート衣類を示す前面図。
【図１０】第１の実施形態による骨盤緊締帯を有する骨盤サポート衣類を示す後面図。
【図１１】第２の実施形態による骨盤緊締帯を人体に装着した状態を示す前面図。
【図１２】第２の実施形態による骨盤緊締帯を人体に装着した状態を示す後面図。
【発明を実施するための形態】
【００１４】
まず、図１、図２を参照して骨盤の構造について簡単に説明する。骨盤１０は、仙骨１１と左右の寛骨１２（腸骨１３、坐骨１４、恥骨１５）とから構成されている。寛骨１２は、腸骨１３、坐骨１４、恥骨１５を含む。
【００１５】
腸骨１３は、その前面に上前腸骨棘１３Ａを有し、その後面に上後腸骨棘１３Ｂを有する。腸骨１３は、上前腸骨棘１３Ａと上後腸骨棘１３Ｂとの間に、弓状に曲線を描く腸骨稜１３Ｃを有する。坐骨１４は、その後面に坐骨結節１４Ａを有する。
【００１６】
骨盤の主たる機能としては骨盤輪の体重伝達がある。骨盤は、体幹と大腿骨との間の２方向の体重伝達を司るものである。
【００１７】
骨盤１０の連結として、恥骨結合１６及び仙腸関節１７がある。
【００１８】
恥骨結合１６は左右の恥骨が向き合う面にあり、両恥骨１５の関節表面はそれぞれ硝子軟骨によって覆われ、その間は線維軟骨によって互いに連結される。上恥骨靱帯と下恥骨靱帯により補強されている。分娩時にはホルモンの作用により靱帯や線維軟骨が緩み、両恥骨１５間が離開する。
【００１９】
仙腸関節１７は半関節に分類される。仙腸関節１７の関節面は線維軟骨で覆われ、関節包は骨膜と密着し、前仙腸靱帯と後仙腸靱帯と骨間仙腸靱帯で補強されて可動性はほとんどない。仙腸関節１７の関節面は不規則に適合しており、ここに捻れるような力が加わると、腰痛等の原因となる場合がある。
【００２０】
上記のような事情から、本発明者らは以下のような骨盤緊締帯を発明するに至った。
【００２１】
以下、本発明の第１の実施形態による骨盤緊締帯１について図３乃至図８に基づき説明する。
【００２２】
図３、図４に示すように、骨盤緊締帯１は、全体としてリング状又は８の字状のベルト構造である。ベルトは、例えば伸縮性の高い繊維等で形成されるが、素材の種類は特に限定されない。
【００２３】
図３に示すように、骨盤緊締帯１は、折り畳まれた際に、前面は、恥骨結合緊締部２を交点とし上部が大きい略Ｘ字状を有する。ここで、左右の上部で後方に折れ曲がる部分が、後述する左右の腸骨稜緊締部４に相当する。また、図４に示すように、後面は、左右の腸骨稜緊締部４を左右の頂部とし、後述する左右の坐骨結節緊締部６を底部とする略Ｖ字状を有する。
【００２４】
また、骨盤緊締帯１を人体に装着すると、図５乃至図８に示す状態となる。なお、図５乃至図８では、骨盤緊締帯１と骨盤との関係を分り易くするため、実際の人体ではなく骨格に骨盤緊締帯１を取り付けた状態を示している。
【００２５】
恥骨結合緊締部２は、前面下部に位置し、恥骨結合１６を通る（緊締又は圧迫する）部分である。恥骨結合緊締部２は、ベルトの８の字の交差する部分である。
【００２６】
左右の上前腸骨棘緊締部３は、恥骨結合緊締部２から左右斜め上方に延びる部分であり、上前腸骨棘１３Ａを通る部分である。
【００２７】
左右の腸骨稜緊締部４は、左右の上前腸骨棘緊締部３の各々が後方に回り込む部分に位置し、腸骨稜１３Ｃを通る部分である。
【００２８】
左右の上後腸骨棘緊締部５は、左右の腸骨稜緊締部４から下方に延び、それぞれ左右の上後腸骨棘１３Ｂを通る部分である。
【００２９】
左右の坐骨結節緊締部６は、左右の上後腸骨棘緊締部５から更に下方に延び、左右の坐骨結節１４Ａを通って前面に出て恥骨結合緊締部２に連続する部分である。
【００３０】
また、骨盤緊締帯１によれば、上前腸骨棘１３Ａ・腸骨稜１３Ｃ・上後腸骨棘１３Ｂ・坐骨結節１４Ａ・恥骨結合１６・反対側の上前腸骨棘１３Ａ・腸骨稜１３Ｃ・上後腸骨棘１３Ｂ・坐骨結節１４Ａ・恥骨結合１６・反対側の上前腸骨棘１３Ａと走行するため連続性が途絶えず、１本のリングで８の字状の形状となる。このため、片側の骨盤の動きが反対側の骨盤に伝わり、骨盤を安定させ、過剰な動きを制限し、正しい動きを誘導することが可能である。
【００３１】
なお、恥骨結合緊締部２の交差部分はベルト同士が互いに固定されていても固定されていなくてもよい。ベルト同士が互いに固定されていない場合、ベルト同士が独立し、力の伝達が阻害されない。この場合、片側の骨盤の動きがより直接的に反対側の骨盤に伝わり、更に骨盤を安定させ、過剰な動きを制限し、正しい動きを誘導することが可能となる。
【００３２】
図９、図１０に、上述した骨盤緊締帯１を有する骨盤サポート衣類８を示す。この例では骨盤サポート衣類８はパンツ型の衣類であり、上述した骨盤緊締帯１と、骨盤緊締帯１が織り込まれた生地９とを備える。かかる骨盤サポート衣類８によれば、誰でも身に付けるだけで上述した骨盤緊締帯１の効果を得ることができる。
【００３３】
次に、本発明の第２の実施形態による骨盤緊締帯２１について図１１、図１２に基づき説明する。
【００３４】
第２の実施形態による骨盤緊締帯２１の構成は、２本のリング状ベルト（第一リング２１Ａ、第二リング２１Ｂ）が恥骨結合と仙骨部との２か所で交差する点で、第１の実施形態による骨盤緊締帯と異なる。
【００３５】
第一リング２１Ａは、恥骨結合１６・左上前腸骨棘１３Ａ・左上後腸骨棘１３Ｂ・右坐骨結節１４Ａ・恥骨結合１６の順番で各部位を通る。第二リング２１Ｂは、恥骨結合１６・右上前腸骨棘１３Ａ・右上後腸骨棘１３Ｂ・左坐骨結節１４Ａ・恥骨結合１６の順番で各部位を通る。
【００３６】
より具体的には、恥骨結合緊締部２２は、前面下部に位置し、恥骨結合１６を通る（圧迫する）部分である。恥骨結合緊締部２２は、第一リング２１Ａ、第二リング２１Ｂが交差する部分である。
【００３７】
左右の上前腸骨棘緊締部２３は、恥骨結合緊締部２２から左右斜め上方に延びる部分であり、上前腸骨棘１３Ａを通る（圧迫する）部分である。
【００３８】
左右の腸骨稜緊締部２４は、左右の上前腸骨棘緊締部３の各々が後方に回り込む部分に位置し、腸骨稜１３Ｃを通る（圧迫する）部分である。
【００３９】
左右の上後腸骨棘緊締部２５は、左右の腸骨稜緊締部２４から下方内側に延び、それぞれ左右の上後腸骨棘１３Ｂを通る部分である。
【００４０】
左右の坐骨結節緊締部２６は、左右の坐骨結節１４Ａを通って前面に出て恥骨結合緊締部２２に連続する部分である。
【００４１】
本実施形態では、左右の上後腸骨棘緊締部２５と左右の坐骨結節緊締部２６との間の２本のベルト（第一リング２１Ａ、第二リング２１Ｂ）が交差部２７においても交差する。交差部２７は、仙骨部に位置する。即ち、左側の上後腸骨棘緊締部２５と右側の坐骨結節緊締部２６とが連続し、右側の上後腸骨棘緊締部２５と左側の坐骨結節緊締部２６とが連続している。交差部２７における両ベルトは、固定されていないのが好ましい。
【００４２】
このように、第２の実施形態による骨盤緊締帯２１は、２本のリング状ベルト（第一リング２１Ａ、第二リング２１Ｂ）が前方の恥骨結合部と後方の仙骨部との２か所で交差する構成となっている。かかる構成により恥骨結合部と仙腸関節部との２箇所の安定性を確保できる。
【００４３】
更に何れのリング２１Ａ、２１Ｂも左右両側の骨盤を走行しており、しかもリング状であるため片側の骨盤の動きが反対側の骨盤に伝わる。このため、骨盤を安定させ、過剰な動きを制限し、正しい動きを誘導することが可能である。
【００４４】
以上のように、本発明の第１の実施形態による骨盤緊締帯１及び第２の実施形態による骨盤緊締帯２１によれば、１つ又は２つのリングで左右の骨盤を連携させており、骨盤構造から理想的な緊諦帯を実現している。
【００４５】
骨盤は前方は恥骨結合１６、後方は左・右仙腸関節１７の３か所で連結されている立体的なリングである。この連結により骨盤１０は少しではあるが可動性を持っている。このため骨盤にも歪みが生じ、その歪みの方向は前後へも上下へも回旋も起こりうる。かかる骨盤緊諦帯１、骨盤緊諦帯２１によれば腸骨稜１３Ｃの前方部分から恥骨結合１６、且つ坐骨結節１４Ａから腸骨稜後方への緊諦帯で前後に圧迫される。これにより、各々の骨が正常位置に、骨盤輪の力学的機能安定が正常な身体重心に復元しようとする。また、各組織へ加わることがあるストレスが緩和される。
【００４６】
本願発明者らの考案した骨盤緊諦帯１、骨盤緊諦帯２１においては、腸骨稜１３Ｃから反対側の坐骨結節１４Ａへ緊諦帯がかかる。このため上下方向や回旋の運動に対しても制限できる。これにより、各々の骨が正常位置に、骨盤輪の力学的機能安定が正常な身体重心に復元しようとする。また、各組織へ加わることがあるストレスが緩和される。
【００４７】
また、従来からある帯状の緊諦帯では、股関節部を外側から圧迫し股関節の機能を制限し機能的でない。しかし、上記実施形態による骨盤緊諦帯１、２１は股関節の動きを制限することなく骨盤を安定することができ、機能的である。特に骨盤緊諦帯１においては左右の仙腸関節１７の動きも制限しないというメリットがある。
【００４８】
本発明による骨盤緊締帯は上述した実施形態に限定されず、特許請求の範囲に記載した範囲で種々の変形や改良が可能である。
【００４９】
上述した実施形態による骨盤緊締帯は平型のベルト状の緊締帯であったが、各部位を適切に圧迫（緊締）できるものであれば、ひも状等でもよく、特に形状は限定されない。
【００５０】
例えば、上記では骨盤緊締帯について説明したが、本発明を、人間の骨盤に対して緊締帯を装着する骨盤緊締帯装着方法として実施することもできる。当該方法は、上述した骨盤緊締帯を恥骨結合に当てる工程と、左右の上前腸骨棘に当てる工程と、左右の腸骨稜に当てる工程と、左右の上後腸骨棘に当てる工程と、左右の坐骨結節に当てる工程とを有する。
【００５１】
第１の実施形態による骨盤緊締帯１については、１本のリングを８の字状にして、恥骨結合緊締部２と、左右の上前腸骨棘緊締部３と、左右の腸骨稜緊締部４と、左右の上後腸骨棘緊締部５と、左右の坐骨結節緊締部６とを有し、恥骨結合緊締部２において交差部を有するように、骨盤緊締帯１を装着する。
【００５２】
第２の実施形態による骨盤緊締帯２１については、２本のリングを使用する。即ち、第一リング２１Ａが、恥骨結合１６・左上前腸骨棘１３Ａ・左上後腸骨棘１３Ｂ・右坐骨結節１４Ａ・恥骨結合１６を通り、第二リング２１Ｂが、恥骨結合１６・右上前腸骨棘１３Ａ・右上後腸骨棘１３Ｂ・左坐骨結節１４Ａ・恥骨結合１６を通るように２本のリングを使用する。その結果、骨盤緊締帯２１は、恥骨結合緊締部２２と、左右の上前腸骨棘緊締部２３と、左右の腸骨稜緊締部２４と、左右の上後腸骨棘緊締部２５と、左右の坐骨結節緊締部２６とを有し、前面の恥骨結合緊締部２２において交差部を有するとともに、後面の仙骨部においても交差部２７を有する。
【００５３】
或いは、人間の骨盤に対してテーピングを施行するテーピング方法として実施することもできる。当該方法では、テーピングが上述した骨盤緊締帯となるようにテーピングを施行する。かかる方法によれば、上記骨盤緊締帯を製作する必要がなく、単にテーピングによって上述した効果を得ることができる。
【産業上の利用可能性】
【００５４】
以上のように本発明にかかる骨盤緊諦帯、骨盤サポート衣類及び骨盤緊諦帯装着方法は、骨盤を安定させ、過剰な動きを制限し、正しい動きを誘導するのに有用であり、例えば出産前後の女性や腰痛を抱える人、スポーツをする人等が使用するのに適している。
【符号の説明】
【００５５】
１  骨盤緊締帯、  ２  恥骨結合緊締部、  ３  上前腸骨棘緊締部、
４  腸骨稜緊締部、  ５  上後腸骨棘緊締部、  ６  坐骨結節緊締部、
８  骨盤サポート衣類、  ９  生地、
１０  骨盤、  １１  仙骨、  １２  寛骨、  １３  腸骨、
１３Ａ  上前腸骨棘、  １３Ｂ  上後腸骨棘、  １３Ｃ  腸骨稜、
１４  坐骨、  １４Ａ  坐骨結節、
１５  恥骨、  １６  恥骨結合、  １７  仙腸関節、
２１  骨盤緊締帯、  ２１Ａ，２１Ｂ  リング、  ２２  恥骨結合緊締部、
２３  上前腸骨棘緊締部、  ２４  腸骨稜緊締部、  ２５  上後腸骨棘緊締部、
２６  坐骨結節緊締部、  ２７  交差部。
【図１】
2018130372.tif 000003
【図２】
2018130372.tif 000004
【図３】
2018130372.tif 000005
【図４】
2018130372.tif 000006
【図５】
2018130372.tif 000007
【図６】
2018130372.tif 000008
【図７】
2018130372.tif 000009
【図８】
2018130372.tif 000010
【図９】
2018130372.tif 000011
【図１０】
2018130372.tif 000012
【図１１】
2018130372.tif 000013
【図１２】
2018130372.tif 000014
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
前面下部に位置する恥骨結合緊締部と、
前記恥骨結合緊締部から左右斜め上方に延び、左右の上前腸骨棘を通る左右の上前腸骨棘緊締部と、
前記左右の上前腸骨棘緊締部の各々が後方に回り込む部分に位置し、左右の腸骨稜を通る左右の腸骨稜緊締部と、
前記左右の腸骨稜緊締部から下方に延び、左右の上後腸骨棘を通る左右の上後腸骨棘緊締部と、
前記左右の上後腸骨棘緊締部から下方に延び、左右の坐骨結節を通って前面に出て前記恥骨結合緊締部に連続する左右の坐骨結節緊締部と、
を有する骨盤緊締帯と、
前記骨盤緊締帯が施された生地と、
を備えることを特徴とする骨盤サポート衣類。
【請求項２】
全体として連続したリング状に構成される骨盤緊締帯であって、
前面下部に位置する恥骨結合緊締部と、
前記恥骨結合緊締部から左右斜め上方に延び、左右の上前腸骨棘を通る左右の上前腸骨棘緊締部と、
前記左右の上前腸骨棘緊締部の各々が後方に回り込む部分に位置し、左右の腸骨稜を通る左右の腸骨稜緊締部と、
前記左右の腸骨稜緊締部から下方に延び、左右の上後腸骨棘を通る左右の上後腸骨棘緊締部と、
前記左右の上後腸骨棘緊締部から下方に延び、左右の坐骨結節を通って前面に出て前記恥骨結合緊締部に連続する左右の坐骨結節緊締部と、を有し、
前記恥骨結合緊締部において第一の交差部を有することを特徴とする骨盤緊締帯。
【請求項３】
後面において、前記左右の上後腸骨棘緊締部と前記左右の坐骨結節緊締部との間は２本が交差せずに延び、左側の前記上後腸骨棘緊締部と左側の前記坐骨結節緊締部とが連続し、右側の前記上後腸骨棘緊締部と右側の前記坐骨結節緊締部とが連続する構成となっており、
全体として、１本のリングを８の字状にした構成であることを特徴とする請求項２記載の骨盤緊締帯。
【請求項４】
前記骨盤緊締帯は折り畳まれた際に、
前面は、前記恥骨結合緊締部を交点とし上部が大きいＸ字状を有し、
前記左右の腸骨稜緊締部は、上部で後方に折れ曲がる部分であり、
後面は、前記左右の腸骨稜緊締部を左右の頂部とし、前記左右の坐骨結節緊締部を底部とするＶ字状を有することを特徴とする請求項３記載の骨盤緊締帯。
【請求項５】
全体として、第一リング及び第二リングの２本のリングで構成され、
後面において、前記左右の上後腸骨棘緊締部と前記左右の坐骨結節緊締部との間に第二の交差部を有し、前記第二の交差部は仙骨部に位置し、
前記第一リングは、前記恥骨結合締結部、左側の前記上前腸骨棘締結部、左側の前記上後腸骨棘締結部、右側の前記坐骨結節締結部、前記恥骨結合締結部の順番で連続しており、
前記第二リングは、前記恥骨結合締結部、右側の前記上前腸骨棘締結部・右側の前記上後腸骨棘締結部・左側の前記坐骨結節締結部・前記恥骨結合締結部の順番で連続していることを特徴とする請求項２記載の骨盤緊締帯。
【請求項６】
人間の骨盤に対して緊締帯を装着する骨盤緊締帯装着方法であって、
全体としてリング状に構成される骨盤緊締帯を、前面下部に位置する恥骨結合に当てる工程と、
前記骨盤緊締帯を左右の上前腸骨棘に当てる工程と、
前記骨盤緊締帯を左右の腸骨稜に当てる工程と、
前記骨盤緊締帯を左右の上後腸骨棘に当てる工程と、
前記骨盤緊締帯を左右の坐骨結節に当てる工程と、を有し、
これにより、前記骨盤緊締帯が、
前面下部に位置する恥骨結合緊締部と、
前記恥骨結合緊締部から左右斜め上方に延び、左右の上前腸骨棘を通る左右の上前腸骨棘緊締部と、
前記左右の上前腸骨棘緊締部の各々が後方に回り込む部分に位置し、左右の腸骨稜を通る左右の腸骨稜緊締部と、
前記左右の腸骨稜緊締部から下方に延び、左右の上後腸骨棘を通る左右の上後腸骨棘緊締部と、
前記左右の上後腸骨棘緊締部から下方に延び、左右の坐骨結節を通って前面に出て前記恥骨結合緊締部に連続する左右の坐骨結節緊締部と、を有し、
前記恥骨結合緊締部において第一の交差部を有するように、前記骨盤緊締帯を装着することを特徴とする骨盤緊締帯装着方法。
【手続補正２】
【補正対象書類名】明細書
【補正対象項目名】０００６
【補正方法】変更
【補正の内容】
【０００６】
上記目的を達成するために、本発明は、前面下部に位置する恥骨結合緊締部と、前記恥骨結合緊締部から左右斜め上方に延び、左右の上前腸骨棘を通る左右の上前腸骨棘緊締部と、前記左右の上前腸骨棘緊締部の各々が後方に回り込む部分に位置し、左右の腸骨稜を通る左右の腸骨稜緊締部と、前記左右の腸骨稜緊締部から下方に延び、左右の上後腸骨棘を通る左右の上後腸骨棘緊締部と、前記左右の上後腸骨棘緊締部から下方に延び、左右の坐骨結節を通って前面に出て前記恥骨結合緊締部に連続する左右の坐骨結節緊締部と、を有する骨盤緊締帯と、前記骨盤緊締帯が施された生地と、を備えることを特徴とする骨盤サポート衣類を提供している。
また、本発明は、全体として連続したリング状に構成される骨盤緊締帯であって、前面下部に位置する恥骨結合緊締部と、前記恥骨結合緊締部から左右斜め上方に延び、左右の上前腸骨棘を通る左右の上前腸骨棘緊締部と、前記左右の上前腸骨棘緊締部の各々が後方に回り込む部分に位置し、左右の腸骨稜を通る左右の腸骨稜緊締部と、前記左右の腸骨稜緊締部から下方に延び、左右の上後腸骨棘を通る左右の上後腸骨棘緊締部と、前記左右の上後腸骨棘緊締部から下方に延び、左右の坐骨結節を通って前面に出て前記恥骨結合緊締部に連続する左右の坐骨結節緊締部と、を有し、前記恥骨結合緊締部において第一の交差部を有する骨盤緊締帯を提供している。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明は、人間の骨盤に対して緊締帯を装着する骨盤緊締帯装着方法であって、全体としてリング状に構成される骨盤緊締帯を、前面下部に位置する恥骨結合に当てる工程と、前記骨盤緊締帯を左右の上前腸骨棘に当てる工程と、前記骨盤緊締帯を左右の腸骨稜に当てる工程と、前記骨盤緊締帯を左右の上後腸骨棘に当てる工程と、前記骨盤緊締帯を左右の坐骨結節に当てる工程と、を有し、これにより、前記骨盤緊締帯が、前面下部に位置する恥骨結合緊締部と、前記恥骨結合緊締部から左右斜め上方に延び、左右の上前腸骨棘を通る左右の上前腸骨棘緊締部と、前記左右の上前腸骨棘緊締部の各々が後方に回り込む部分に位置し、左右の腸骨稜を通る左右の腸骨稜緊締部と、前記左右の腸骨稜緊締部から下方に延び、左右の上後腸骨棘を通る左右の上後腸骨棘緊締部と、前記左右の上後腸骨棘緊締部から下方に延び、左右の坐骨結節を通って前面に出て前記恥骨結合緊締部に連続する左右の坐骨結節緊締部と、を有し、前記恥骨結合緊締部において第一の交差部を有するように、前記骨盤緊締帯を装着する骨盤緊締帯装着方法を提供している。